(57)【特許請求の範囲】
【請求項１】
回転可能な巻体と、
この巻体を回転させる駆動手段と、
被閉鎖部を開閉するもので、前記巻体の巻戻方向への回転に応じて前記被閉鎖部を閉じる閉方向に向って移動しかつ前記巻体の巻取方向への回転に応じて前記被閉鎖部を開く開方向に向って移動する開閉体と、
この開閉体に設けられた開口部と、
前記開閉体を操作するための操作手段とを備え、
前記操作手段は、
被閉鎖部開閉用操作部と、
この被閉鎖部開閉用操作部とは別に、前記被閉鎖部の全閉状態を保持したまま、前記開口部の開口量を微調節するための専用の調節用操作部とを有し、
前記調節用操作部の操作に基づく前記巻体の回転速さは、前記被閉鎖部開閉用操作部の操作に基づく場合と比べて低速となるように設定されている
ことを特徴とする開閉装置。
【請求項２】
開閉体は、被閉鎖部の当接部と当接して前記被閉鎖部を閉じ、前記当接部から離れて前記被閉鎖部を開くものであり、
前記開閉体の開口部の開口量は、前記開閉体の開閉動作に関連して、前記当接部から前記開閉体に作用する力の大きさに応じて変化する
ことを特徴とする請求項１記載の開閉装置。
【請求項３】
調節用操作部は、
巻体の巻取方向への回転に基づく開閉体の開動作により開口部の開口量を増大させるための第１の操作スイッチ部と、
巻体の巻戻方向への回転に基づく前記開閉体の閉動作により前記開口部の開口量を減少させるための第２の操作スイッチ部とを有する
ことを特徴とする請求項１または２記載の開閉装置。
【請求項４】
調節用操作部は、被閉鎖部が開閉体にて全閉状態に閉じられかつ前記開閉体の開口部の開口量が予め設定された状態とするためのワンタッチ操作スイッチ部を有する
ことを特徴とする請求項３記載の開閉装置。
【請求項５】
被閉鎖部が開閉体にて全閉状態に閉じられていることを検知する検知手段を備え、
調節用操作部は、
前記検知手段が非検知状態の場合には前記被閉鎖部が前記開閉体にて全閉状態に閉じられかつ前記開閉体の開口部の開口量が予め設定された状態とするためのワンタッチ操作スイッチ部として機能するとともに、前記検知手段が検知状態の場合には前記開閉体の開口部の開口量を増大させるための第１の操作スイッチ部として機能する一方のスイッチと、
前記検知手段が非検知状態の場合には前記被閉鎖部が前記開閉体にて全閉状態に閉じられかつ前記開閉体の開口部の開口量が予め設定された状態とするためのワンタッチ操作スイッチ部として機能するとともに、前記検知手段が検知状態の場合には前記開閉体の開口部の開口量を減少させるための第２の操作スイッチ部として機能する他方のスイッチとを有する
ことを特徴とする請求項１または２記載の開閉装置。
【請求項６】
被閉鎖部が開閉体にて全閉状態に閉じられていることを検知する検知手段を備え、
調節用操作部は、
前記検知手段が非検知状態の場合には前記被閉鎖部が前記開閉体にて全閉状態に閉じられかつ前記開閉体の開口部の開口量が予め設定された状態とするためのワンタッチ操作スイッチ部として機能するとともに、前記検知手段が検知状態の場合には前記開閉体の開口部の開口量を増減させるための増減用操作スイッチ部として機能する単一スイッチを有する
ことを特徴とする請求項１または２記載の開閉装置。
【請求項７】
被閉鎖部開閉用操作部は、
巻体の巻戻方向への回転により開閉体を閉方向に移動させるための閉操作スイッチと、
前記巻体の巻取方向への回転により前記開閉体を開方向に移動させるための開操作スイッチとを有する
ことを特徴とする請求項１ないし６のいずれか一記載の開閉装置。
【発明の詳細な説明】
【０００１】
【発明の属する技術分野】
本発明は、被閉鎖部を開閉する開閉体を備えた開閉装置に関する。
【０００２】
【従来の技術】
従来の開閉装置として、例えば図１９に示すいわゆるスリットシャッター等のシャッター装置が知られている。
【０００３】
この図１９のシャッター装置は、複数枚の金属製のスラット１にて構成された昇降可能な開閉体２を備えている。そして、開閉体２は、操作手段３に設けられた自己保持型の閉操作スイッチ４の操作に基づいて、所定量下降し下枠や床面等の当接部５と当接して窓や出入口等の被閉鎖部６を閉じたり、操作手段３に設けられた自己保持型の開操作スイッチ７の操作に基づいて、所定量上昇して被閉鎖部６を開いたりする。
【０００４】
また、開閉体２は、各スラット１に形成された複数のスリット部1aにて構成された換気・採光用の開口部８を有しており、この開口部８の開口量としての開口面積は、開閉体２の開閉動作に関連して当接部５から開閉体２の下端部の幅木９に作用する力の大きさに応じて変化する。すなわち、開閉体２は、各スリット部1aが開口した状態のまま下降し、幅木９が下枠や床面等の当接部５に当接すると下方のスリット部1aから順次閉鎖される。
【０００５】
そして、開閉体２の開口部８の開口面積の調節は、操作手段３の閉操作スイッチ４や開操作スイッチ７、停止操作スイッチを巧みに操作することにより行う構成となっている。
【０００６】
また一方、従来の開閉装置として、例えば図２０に示すいわゆる外付けブラインド等のブラインド装置が知られている。
【０００７】
この図２０のブラインド装置は、ワイヤ等で一体に連結された複数枚の金属製の回動スラット11にて構成された昇降可能な開閉体12を備えている。そして、開閉体12は、操作手段13に設けられた非自己保持型の閉操作スイッチ14をいわゆる押し切りにて操作することに基づいて、所定量下降して窓等の被閉鎖部16を閉じたり、操作手段13に設けられた非自己保持型の開操作スイッチ17をいわゆる押し切りにて操作することに基づいて、所定量上昇して被閉鎖部16を開いたりする。
【０００８】
また、開閉体12は、上下に隣接する各回動スラット11間に形成された複数の間隙部11aにて構成された開口部としての採光部18を有しており、この採光部18からの室内側への開口量としての採光量は、開閉体２の開閉動作に関連して各回動スラット11の例えば水平面に対する角度αの大きさに応じて変化する。
【０００９】
そして、開閉体12の採光部18からの採光量は、操作手段13の閉操作スイッチ14および開操作スイッチ17の操作により行う構成となっている。
【００１０】
【発明が解決しようとする課題】
ここで、近年、図１９のシャッター装置や図２０のブラインド装置等の開閉装置の分野では、操作のわかりやすさが重要な課題とされ、操作性の良好な構造が求められている。
【００１１】
本発明は、このような点に鑑みなされたもので、操作性が良好な開閉装置を提供することを目的とする。
【００１２】
【課題を解決するための手段】
請求項１記載の開閉装置は、回転可能な巻体と、この巻体を回転させる駆動手段と、被閉鎖部を開閉するもので、前記巻体の巻戻方向への回転に応じて前記被閉鎖部を閉じる閉方向に向って移動しかつ前記巻体の巻取方向への回転に応じて前記被閉鎖部を開く開方向に向って移動する開閉体と、この開閉体に設けられた開口部と、前記開閉体を操作するための操作手段とを備え、前記操作手段は、被閉鎖部開閉用操作部と、この被閉鎖部開閉用操作部とは別に、前記被閉鎖部の全閉状態を保持したまま、前記開口部の開口量を微調節するための専用の調節用操作部とを有し、前記調節用操作部の操作に基づく前記巻体の回転速さは、前記被閉鎖部開閉用操作部の操作に基づく場合と比べて低速となるように設定されているものである。
【００１３】
請求項２記載の開閉装置は、請求項１記載の開閉装置において、開閉体は、被閉鎖部の当接部と当接して前記被閉鎖部を閉じ、前記当接部から離れて前記被閉鎖部を開くものであり、前記開閉体の開口部の開口量は、前記開閉体の開閉動作に関連して、前記当接部から前記開閉体に作用する力の大きさに応じて変化するものである。
【００１４】
請求項３記載の開閉装置は、請求項１または２記載の開閉装置において、調節用操作部は、巻体の巻取方向への回転に基づく開閉体の開動作により開口部の開口量を増大させるための第１の操作スイッチ部と、巻体の巻戻方向への回転に基づく前記開閉体の閉動作により前記開口部の開口量を減少させるための第２の操作スイッチ部とを有するものである。
【００１５】
請求項４記載の開閉装置は、請求項３記載の開閉装置において、調節用操作部は、被閉鎖部が開閉体にて全閉状態に閉じられかつ前記開閉体の開口部の開口量が予め設定された状態とするためのワンタッチ操作スイッチ部を有するものである。
【００１６】
請求項５記載の開閉装置は、請求項１または２記載の開閉装置において、被閉鎖部が開閉体にて全閉状態に閉じられていることを検知する検知手段を備え、調節用操作部は、前記検知手段が非検知状態の場合には前記被閉鎖部が前記開閉体にて全閉状態に閉じられかつ前記開閉体の開口部の開口量が予め設定された状態とするためのワンタッチ操作スイッチ部として機能するとともに、前記検知手段が検知状態の場合には前記開閉体の開口部の開口量を増大させるための第１の操作スイッチ部として機能する一方のスイッチと、前記検知手段が非検知状態の場合には前記被閉鎖部が前記開閉体にて全閉状態に閉じられかつ前記開閉体の開口部の開口量が予め設定された状態とするためのワンタッチ操作スイッチ部として機能するとともに、前記検知手段が検知状態の場合には前記開閉体の開口部の開口量を減少させるための第２の操作スイッチ部として機能する他方のスイッチとを有するものである。
【００１７】
請求項６記載の開閉装置は、請求項１または２記載の開閉装置において、被閉鎖部が開閉体にて全閉状態に閉じられていることを検知する検知手段を備え、調節用操作部は、前記検知手段が非検知状態の場合には前記被閉鎖部が前記開閉体にて全閉状態に閉じられかつ前記開閉体の開口部の開口量が予め設定された状態とするためのワンタッチ操作スイッチ部として機能するとともに、前記検知手段が検知状態の場合には前記開閉体の開口部の開口量を増減させるための増減用操作スイッチ部として機能する単一スイッチを有するものである。
【００１８】
請求項７記載の開閉装置は、請求項１ないし６のいずれか一記載の開閉装置において、被閉鎖部開閉用操作部は、巻体の巻戻方向への回転により開閉体を閉方向に移動させるための閉操作スイッチと、前記巻体の巻取方向への回転により前記開閉体を開方向に移動させるための開操作スイッチとを有するものである。
【００１９】
【発明の実施の形態】
以下、本発明の開閉装置の第１の実施の形態の構成を図面を参照して説明する。
【００２０】
図１において、21は開閉装置としてのシャッタ装置で、このシャッタ装置21は、換気機能や採光機能を備えたいわゆるスリットシャッタ等で、例えば出入口や窓等の開口部である被閉鎖部22を開閉するものである。
【００２１】
シャッタ装置21は、図１に示すように、上下方向に長手方向を有する左右一対の細長形状で断面略コ字状の案内手段としてのガイドレール24，24を備えている。各ガイドレール24は、下枠或いは床面等の当接部25に立設され、被閉鎖部22の左右両側縁部に配置されている。また、各ガイドレール24の上端部側は、左右水平方向に長手方向を有する細長箱状の開閉体収容手段としてのボックス26内に挿入されている。
【００２２】
ボックス26は、下面部に長孔状の挿通口部27がボックス26の長手方向に沿って開口形成されており、各ガイドレール24の上端部側が挿通口部27の長手方向の両端部に挿通されてボックス26内に挿入されている。ボックス26の左右両側面部間には、左右水平方向に長手方向を有する細長筒形状の回転体である巻体としての巻取軸28が回転可能に架け渡されており、巻取軸28は単一の駆動手段としての正逆回転可能な駆動モータ29の回転軸29aから図示しない伝動手段を介して駆動力を受けて所定方向に駆動回転する構成となっている。また、駆動モータ29には、ＣＰＵ、メモリ等にて構成された制御手段30が電気的に接続されており、駆動モータ29は制御手段30からの制御信号に応じて制御されるようになっている。
【００２３】
また、シャッタ装置21は、図１に示すように、被閉鎖部22に沿って移動可能つまり昇降可能な可撓性を有する開閉体31を備えており、開閉体31は、巻取軸28に巻取りおよび巻戻し可能に取り付けられている。
【００２４】
開閉体31は、巻取軸28の一の方向である巻戻方向への回転に応じて被閉鎖部22に沿ってこの被閉鎖部22を閉じる閉方向（下方向）Ｃに向って下降する閉動作を行い、かつ、巻取軸28の他の方向である巻取方向への回転に応じて被閉鎖部22に沿ってこの被閉鎖部22を開く開方向（上方向）Ｏに向って上昇する開動作を行う構成とされている。
【００２５】
また、開閉体31は、例えば金属材料等にて左右水平方向に長手方向を有する細長板形状に形成された複数枚のスラット33を有している。これら複数枚のスラット33は上下に隣接するスラット33の図示しない連結部相互が遊嵌により上下にスライド自在に連結され、これにより、開閉体31が開閉方向（上下方向）にややスライド伸縮する一枚状に形成されている。なお、開閉体31の開方向先端側が巻取軸28に取り付けられ、開閉体31の閉方向先端側である自由端部側の下端部のスラット33には被閉鎖部22の当接部25に当接する座板等の幅木34が取り付けられている。
【００２６】
また、開閉体31の各スラット33の上端縁部の近傍には、左右水平方向に長細い長孔状のスリット部35が複数開口形成されており、各スリット部35はスラット33の長手方向に沿って並んで位置している。なお、開閉体31の各スラット33の複数のスリット部35、すなわち、開閉体31にこの開閉体31の移動方向先端側から移動方向基端側の略全体にわたって分散した状態に設けられた開閉自在の複数のスリット部35によって、換気採光部である換気用や採光用の開口部36が構成されている。
【００２７】
そして、開閉体31の開口部36の開口量としての開口面積（スリット部35の開口面積の合計）は、開閉体31の開閉動作（昇降動作）に関連して、当接部25から開閉体31の下端部の幅木34に作用する力の大きさに応じて変化する。
【００２８】
すなわち、開閉体31の幅木34が当接部25から受ける反力の大きさに応じて閉鎖状態のスリット部35の数が変動することにより、開閉体31の開口部36の開口量としての開口面積が変化する。開閉体31は、各スリット部35が開口した状態のまま幅木34が当接部25に当接するまで下降（閉動作）し、そして、幅木34と当接部25との当接後もさらに開閉体31が下降（閉動作）すると、当接部25から幅木34に作用する力が徐々に増大し、その結果、開閉体31が当接部25にて押されるようにして、開口状態のスリット部35が下方のものから順次閉鎖状態となり、開閉体31の開口部36の開口量としての開口面積が変化する。
【００２９】
さらに、シャッタ装置21は、図１に示すように、使用者が手動で操作する操作手段41を備えており、操作手段41は例えば室内側の壁等の取付け部（図示せず）に取り付けられ、制御手段30に電気的に有線接続されている。なお、操作手段41は遠隔操作機能を備えた無線式のリモコン操作装置等の構成とすることもできる。
【００３０】
開閉体31を操作するための操作手段41は、例えば、巻取軸28の巻戻方向への回転により開閉体31を閉方向Ｃに下降移動させるための自己保持型で押しボタン式の閉操作スイッチ42と、巻取軸28の巻取方向への回転により開閉体31を開方向Ｏに上昇移動させるための自己保持型で押しボタン式の開操作スイッチ43と、これら２つの閉操作スイッチ42および開操作スイッチ43の各々のスイッチオン状態を解除するための非自己保持型で押しボタン式の１つの停止スイッチ44とを有し、これらにより被閉鎖部開閉用操作部を構成している。
【００３１】
自己保持型の閉操作スイッチ42は、押圧操作が行われてスイッチオン状態とされた場合、停止スイッチ44の押圧操作が行われない限りそのスイッチオン状態が保持される。しかし、制御手段30が、例えばロータリーエンコーダやホールIC、カウンタ、タイマ等にて構成された上限や下限等の開閉動作限度検知用の検知部（図示せず）の検知により、例えば、巻取軸28や駆動モータ29の回転軸29a等の回転量や回転数、回転時間等が所定の設定値に達したと判断したときに、駆動モータ29が停止するとともに、閉操作スイッチ42のスイッチオン状態が自動的に解除される。この状態では、被閉鎖部22は開閉体31にて閉じられた状態（被閉鎖部22の全閉状態）にあり、かつ、開閉体31の開口部36の開口面積が最小値に設定された状態（すべてのスリット部35が閉鎖した状態）にある（図２参照）。
【００３２】
自己保持型の開操作スイッチ43も、閉操作スイッチ42と同様、押圧操作が行われてスイッチオン状態とされた場合、停止スイッチ44の押圧操作が行われない限りそのスイッチオン状態が保持される。しかし、制御手段30が、例えばロータリーエンコーダやホールIC、カウンタ、タイマ等にて構成された上限や下限等の開閉動作限度検知用の検知部の検知により、例えば、巻取軸28や駆動モータ29の回転軸29a等の回転量や回転数、回転時間等が所定の設定値に達したと判断すると、駆動モータ29が停止するとともに、開操作スイッチ43のスイッチオン状態が自動的に解除される。この状態では、被閉鎖部22は開口した開かれた状態（被閉鎖部22の全開状態）にあり、開閉体31は巻取軸28に巻き取られてボックス26内に収容された状態にある。
【００３３】
なお、停止スイッチ44は、例えば、押圧操作されている間だけ作用する非自己保持型の構成とされている。これら３つの閉操作スイッチ42、開操作スイッチ43および停止スイッチ44にて被閉鎖部開閉用操作部としての被閉鎖部開閉用スイッチ45が構成されている。
【００３４】
また、操作手段41は、被閉鎖部開閉用スイッチ45とは別に、制御手段30による開閉体31の開閉動作の制御によりこの開閉体31の開口部36の開口面積を微調節するための専用の調節用操作部である開口部開閉用スイッチとしての調節用操作スイッチ46を有している。
【００３５】
この専用の調節用操作スイッチ46は、例えば、制御手段30による巻取軸28の巻取方向への回転に基づく開閉体31の開方向Ｏへの開動作（開閉体31の伸び動作）により開閉体31の開口部36の開口面積を増大させるための第１の操作スイッチ部48と、制御手段30による巻取軸28の巻戻方向への回転に基づく開閉体の閉方向Ｃへの閉動作（開閉体31の縮み動作）により開閉体31の開口部36の開口面積を減少させるための第２の操作スイッチ部49とにて構成されている。
【００３６】
第１の操作スイッチ部48は、例えば押しボタンスイッチ等であり、押圧操作されている間だけ作用する非自己保持型の構成とされ、例えば正面からみて下部に水平の一辺を有し上部に頂角を有する略二等辺三角形状となっている。
【００３７】
第２の操作スイッチ部49は、第１の操作スイッチ部48の下方近傍位置に配置された例えば押しボタンスイッチ等であり、押圧操作されている間だけ作用する非自己保持型の構成とされ、例えば正面からみて上部に水平の一辺を有し下部に頂角を有する略二等辺三角形状となっている。
【００３８】
なお、調節用操作スイッチ46の第１の操作スイッチ部48および第２の操作スイッチ部49の各操作に基づく巻取軸28の回転速さは、開口部36の開口面積を微調節できるように、開操作スイッチ43および閉操作スイッチ42の各操作に基づく場合と比べて低速となるように設定されている。すなわち、調節用操作スイッチ46の操作に基づく開閉体31の開閉動作が開操作スイッチ43および閉操作スイッチ42の各操作に基づく場合と比べて遅く、このため、使用者は開口部36の開口面積を少しずつ変化させることができる。
【００３９】
次に、上記第１の実施の形態のシャッタ装置21の動作等を図面を参照して説明する。
【００４０】
被閉鎖部22の全開状態時に、操作手段41の閉操作スイッチ42の押圧操作すると、制御手段30にて制御されて作動を開始した駆動モータ29からの駆動力に基づいて巻取軸28が巻戻方向に回転し、これにより、開閉体31が被閉鎖部22に沿って閉方向Ｃに下降する。
【００４１】
そして、制御手段30が上限や下限等の開閉動作限度検知用の検知部（図示せず）の閉動作限度検知により例えば駆動モータ29の回転軸29aの回転量等が所定の設定値に達したと判断した時点で、制御手段30にて制御されて駆動モータ29が停止して巻取軸28の回転が止まり、閉操作スイッチ42のスイッチオン状態が解除される。こうして、図２に示すように、被閉鎖部22が全閉状態となり、かつ、開閉体31のすべてのスリット部35が閉鎖した状態（スリット全閉鎖状態）となる。
【００４２】
この図２に示す状態時に、使用者が例えば操作手段41の調節用操作スイッチ46の第１の操作スイッチ部48を所定時間だけ押圧操作すると、その押圧操作されている間だけ駆動モータ29から駆動力が出力される。
【００４３】
そして、この駆動力で巻取軸28が巻取方向に低速で回転し、これにより、図３に示すように、開閉体31の上端部側が徐々に上昇して、開閉体31の上端部側のスリット部が閉鎖状態から開口状態（スリット半開口状態）となる。
【００４４】
この図３に示す状態では、例えば、室外からの視線を遮ることができ、下側部分でプライバシーを守りながら、上側部分からは微風、微光を得ることができる。
【００４５】
また、被閉鎖部22の全閉状態を保持したまま、より多くの風、光を室内側に招き入れたい場合には、調節用操作スイッチ46の第１の操作スイッチ部48をさらに所定時間だけ押圧操作することによって、開閉体31の残りのスリット部を開口状態とし、図４に示すいわゆる全面スリット状態とすることができる。この図４の示す状態では、被閉鎖部22は開閉体31にて閉じられた状態（被閉鎖部22の全閉状態）にあり、かつ、開閉体31の開口部36の開口面積が最大値に設定された状態（スリット全開口状態）にある。
【００４６】
なお、図４のいわゆる全面スリット状態から、スリット半開口状態にしたい場合には、使用者は操作手段41の調節用操作スイッチ46の第２の操作スイッチ部49を所定時間だけ押圧操作する。また、被閉鎖部22を全開状態に戻す場合には、操作手段41の開操作スイッチ43を押圧操作する。
【００４７】
このように、上記第１の実施の形態のシャッタ装置21によれば、専用の調節用操作スイッチ46の第１の操作スイッチ部48および第２の操作スイッチ部49を適宜押圧操作することによって、制御手段30に基づく開閉体31の開閉動作の制御によりこの開閉体31の開口部36の開口量としての開口面積を調節できるので、従来の構成に比べて、開口部36の開口量としての開口面積の調節操作、すなわち、スリット部35の開閉調節操作であるスリット部35からの採光量および通風量の調節操作がわかりやすく、操作性が良好である。
【００４８】
また、第１の操作スイッチ部48および第２の操作スイッチ部49の各々が操作中のみ働く非自己保持型の構成であるから、自己保持型の構成に比べて、スリット部35の開閉調節を簡単にでき、スリット部35からの採光量および通風量の調節を容易にできる。
【００４９】
さらに、開操作スイッチ43および閉操作スイッチ42の各々が自己保持型の構成であるから、非自己保持型の構成に比べて、被閉鎖部22を容易に全開状態、全閉状態にできる。
【００５０】
次に、本発明の開閉装置の第２の実施の形態について図５を参照して説明する。
【００５１】
図５に示す開閉装置としてのシャッタ装置21aは、図１に示すシャッタ装置21とは異なる操作手段41aを備えており、その他の構成部材は図１に示すシャッタ装置21の構成部材と基本的に同一である。
【００５２】
図５に示すシャッタ装置21aの操作手段41aは、図１に示すシャッタ装置21の操作手段41において、制御手段30による開閉体31の開閉動作の制御によりいわゆる全面スリット状態とするための自己保持型のワンタッチ操作スイッチ部50を付加した構成とされている。
【００５３】
このワンタッチ操作スイッチ部50は、第１の操作スイッチ部48と第２の操作スイッチ部49とは別に例えばこれらの間に配置された押しボタンスイッチ等であり、正面からみて左右方向に長手方向を有する長方形状となっている。
【００５４】
そして、ワンタッチ操作スイッチ部50を押圧操作すると、被閉鎖部22の全開状態、スリット全閉鎖状態、スリット半開口状態等にあったとしても、制御手段30の制御で駆動モータ29が作動して巻取軸28が所定方向に回転し、これにより、被閉鎖部22が開閉体31にて閉じられた状態（被閉鎖部22の全閉状態）となり、かつ、開閉体31の開口部36の開口量としての開口面積が最大値に設定された状態（スリット全開口状態）となる（図４参照）。
【００５５】
そして、図５に示すシャッタ装置21aによれば、上記第１の実施の形態のシャッタ装置21の作用効果を奏するばかりでなく、ワンタッチ操作で簡単に全面スリット状態にできる。よって、例えばワンタッチ操作スイッチ部50の押圧操作によって開閉体31の開口部36の開口量としての開口面積を一旦最大状態にしてから、開閉体31の開口部36の開口面積を調節できるので、スリット全閉鎖状態から調節する場合に比べて、開口面積が比較的大きい状態への調節操作が容易であり、操作性がきわめて良好である。
【００５６】
次に、本発明の開閉装置の第３の実施の形態について図６を参照して説明する。
【００５７】
図６に示す開閉装置としてのシャッタ装置21bは、図１に示すシャッタ装置21とは異なり、被閉鎖部22が開閉体31にて閉じられていることを検知する検知手段51を備えているとともに、図１に示すシャッタ装置21とは異なる操作手段41bを備えている。その他の構成部材は図１に示すシャッタ装置21の構成部材と基本的に同一である。
【００５８】
図６に示すシャッタ装置21bの検知手段51は、例えば開閉体31側に設けられた磁石からの磁力に基づいて開閉体31の幅木34が当接部25に当接していることを検知するリードスイッチ等にて構成されている。なお、検知手段51は、例えば、巻取軸28や駆動モータ29の回転軸29a等の回転量や回転数、回転時間等に基づいて開閉体31の幅木34が当接部25に当接していることを検知するロータリーエンコーダやホールIC、カウンタ、タイマ等にて構成することもでき、また、光電センサやテープスイッチ等でも構成できる。
【００５９】
また、図６に示すシャッタ装置21bの操作手段41bは、図１の操作手段41と同様、３つの閉操作スイッチ42、開操作スイッチ43および停止スイッチ44にて構成された被閉鎖部開閉用操作部としての被閉鎖部開閉用スイッチ45を有している。
【００６０】
また、操作手段41bは、その被閉鎖部開閉用スイッチ45とは別に、制御手段30による開閉体31の開閉動作の制御によりこの開閉体31の開口部36の開口量としての開口面積を微調節するための専用の調節用操作部である開口部開閉用スイッチとしての調節用操作スイッチ56を有している。
【００６１】
この専用の調節用操作スイッチ56は、例えば、正面からみて下部に水平の一辺を有し上部に頂角を有する略二等辺三角形状をなす押しボタン式の操作スイッチ部である一方のスイッチ58と、この一方のスイッチ58の下方近傍位置に配置され例えば正面からみて上部に水平の一辺を有し下部に頂角を有する略二等辺三角形状をなす押しボタン式の操作スイッチ部である他方のスイッチ59とにて構成されている。
【００６２】
そして、一方のスイッチ58は、検知手段51が非検知状態の場合（被閉鎖部22が半開き或いは全開の場合等）には、制御手段30による開閉体31の開閉動作の制御によりいわゆる全面スリット状態とするための自己保持型で押しボタン式のワンタッチ操作スイッチ部として機能する。また、一方のスイッチ58は、検知手段51が検知状態の場合（被閉鎖部22が全閉状態の場合）には、制御手段30による巻取軸28の巻取方向への回転に基づく開閉体31の開動作により開閉体31の開口部36の開口量としての開口面積を増大させるための非自己保持型で押しボタン式の第１の操作スイッチ部として機能する。
【００６３】
また、他方のスイッチ59は、検知手段51が非検知状態の場合には、一方のスイッチ58と同様、制御手段30による開閉体31の開閉動作の制御によりいわゆる全面スリット状態とするための自己保持型で押しボタン式のワンタッチ操作スイッチ部として機能する。また、他方のスイッチ59は、検知手段51が検知状態の場合には、制御手段30による巻取軸28の巻戻方向への回転に基づく開閉体の閉動作により開閉体31の開口部36の開口量としての開口面積を減少させるための非自己保持型で押しボタン式の第２の操作スイッチ部として機能する。
【００６４】
そして、図６に示すシャッタ装置21bによれば、被閉鎖部22の全閉状態時には、図１に示すシャッタ装置21と同様、専用の調節用操作スイッチ56の一方のスイッチ58および他方のスイッチ59を適宜押圧操作することによって、制御手段30に基づく開閉体31の開閉動作の制御によりこの開閉体31の開口部36の開口量としての開口面積を調節できるので、従来の構成に比べて、開口部36の開口量としての開口面積の調節操作、すなわち、スリット部35の開閉調節操作であるスリット部35からの採光量および通風量の調節操作がわかりやすく、操作性が良好である。
【００６５】
また、検知手段51が検知状態の場合には一方のスイッチ58および他方のスイッチ59の各々が操作中のみ働く非自己保持型の構成であるから、自己保持型の構成に比べて、スリット部35の開閉調節を簡単にでき、スリット部35からの採光量および通風量の調節を容易にできる。
【００６６】
さらに、開操作スイッチ43および閉操作スイッチ42の各々が自己保持型の構成であるから、非自己保持型の構成に比べて、被閉鎖部22を容易に全開状態、全閉状態にできる。
【００６７】
また、検知手段51が非検知状態の場合で被閉鎖部22が全閉状態にないときには、一方のスイッチ58や他方のスイッチ59のワンタッチ操作で簡単に全面スリット状態にでき、開閉体31の開口部36の開口量としての開口面積を一旦最大状態にしてから開閉体31の開口部36の開口量としての開口面積を調節できるので、スリット全閉鎖状態から調節する場合に比べて、開口量としての開口面積が比較的大きい状態（開口量が比較的多い状態）への調節操作が容易であり、操作性がきわめて良好である。
【００６８】
さらに、調節用操作スイッチ56にワンタッチ操作スイッチ部として機能をもたせた構成であるから、上記第２の実施の形態のシャッタ装置21aのように別体のワンタッチ操作スイッチ部50を設けた構成等に比べて、操作手段41bのスイッチ数を少なくでき、構成を簡単にできる。
【００６９】
次に、本発明の開閉装置の第４の実施の形態について図７および図８を参照して説明する。
【００７０】
図７に示す開閉装置としてのシャッタ装置21cは、図１に示すシャッタ装置21とは異なり、被閉鎖部22が開閉体31にて閉じられていることを検知する検知手段61を備えているとともに、図１に示すシャッタ装置21とは異なる操作手段41cを備えている。その他の構成部材は図１に示すシャッタ装置21の構成部材と基本的に同一である。
【００７１】
図７に示すシャッタ装置21cの検知手段61は、例えば開閉体31側に設けられた磁石からの磁力に基づいて開閉体31の幅木34が当接部25に当接していることを検知するリードスイッチ等にて構成されている。なお、検知手段51は、例えば、巻取軸28や駆動モータ29の回転軸29a等の回転量や回転数、回転時間等に基づいて開閉体31の幅木34が当接部25に当接していることを検知するロータリーエンコーダやホールIC、カウンタ、タイマ等にて構成することもでき、また、光電センサやテープスイッチ等でも構成できる。
【００７２】
また、図７に示すシャッタ装置21cの操作手段41cは、図１の操作手段41と同様、３つの閉操作スイッチ42、開操作スイッチ43および停止スイッチ44にて構成された被閉鎖部開閉用操作部としての被閉鎖部開閉用スイッチ45を有している。
【００７３】
また、操作手段41cは、その被閉鎖部開閉用スイッチ45とは別に、制御手段30による開閉体31の開閉動作の制御によりこの開閉体31の開口部36の開口量としての開口面積を微調節するための専用の調節用操作部である開口部開閉用スイッチとしての調節用操作スイッチ66を有している。
【００７４】
この専用の調節用操作スイッチ66は、例えば、正面からみて左右方向に長手方向を有する長方形状をなす押しボタン式の操作スイッチ部である単一スイッチ67のみにて構成されている。
【００７５】
そして、１個の単一スイッチ67は、検知手段61が非検知状態の場合（被閉鎖部22が半開き或いは全開の場合等）には、制御手段30による開閉体31の開閉動作の制御によりいわゆる全面スリット状態とするための自己保持型で押しボタン式のワンタッチ操作スイッチ部として機能する。
【００７６】
また、１個の単一スイッチ67は、検知手段61が検知状態の場合（被閉鎖部22が全閉状態の場合）には、制御手段30による巻取軸28の回転に基づく開閉体31の開閉動作により開閉体31の開口部36の開口量としての開口面積を増減させるための非自己保持型で押しボタン式の増減用操作スイッチ部として機能する。
【００７７】
単一スイッチ67が増減用操作スイッチ部として機能する場合、単一スイッチ67の押圧操作時には、制御手段30による制御に基づき、巻取軸28が、巻戻方向へ所定量すなわち例えば開口部36の全面スリット状態から全閉鎖状態の範囲での所定量だけ低速で回転した後、続いて巻取方向へ同じ所定量すなわち例えば開口部36の全閉鎖状態から全面スリット状態の範囲での所定量だけ低速で回転するという一連の動作を繰り返すようになっている。
【００７８】
すなわち、単一スイッチ67が増減用操作スイッチ部として機能する場合において、単一スイッチ67を押圧し続けると、例えば、図８の（a）ないし(f)に示すように、スリット全開口状態→スリット半開口状態→スリット全閉鎖状態→スリット半開口状態→スリット全開口状態という一連の動作が行われる。
【００７９】
そして、図７に示すシャッタ装置21cによれば、被閉鎖部22の全閉状態時には、図１に示すシャッタ装置21と同様、専用の調節用操作スイッチ56の単一スイッチ67を適宜押圧操作することによって、制御手段30に基づく開閉体31の開閉動作の制御によりこの開閉体31の開口部36の開口量としての開口面積を調節できるので、従来の構成に比べて、開口部36の開口量としての開口面積の調節操作、すなわち、スリット部35の開閉調節操作であるスリット部35からの採光量や通風量の調節操作がわかりやすく、操作性が良好である。
【００８０】
また、検知手段61が検知状態の場合には単一スイッチ67が操作中のみ働く非自己保持型の構成であるから、自己保持型の構成に比べて、スリット部35の開閉調節を簡単にでき、スリット部35からの採光量および通風量の調節を容易にできる。
【００８１】
さらに、開操作スイッチ43および閉操作スイッチ42の各々が自己保持型の構成であるから、非自己保持型の構成に比べて、被閉鎖部22を容易に全開状態、全閉状態にできる。
【００８２】
また、検知手段61が非検知状態の場合で被閉鎖部22が全閉状態にないときには、単一スイッチ67のワンタッチ操作で簡単に全面スリット状態にでき、開閉体31の開口部36の開口量としての開口面積を一旦最大状態にしてから開閉体31の開口部36の開口量としての開口面積を調節できるので、スリット全閉鎖状態から調節する場合に比べて、開口量としての開口面積が比較的大きい状態（開口量が比較的多い状態）への調節操作が容易であり、操作性がきわめて良好である。
【００８３】
さらに、調節用操作スイッチ56の単一スイッチ67にワンタッチ操作スイッチ部として機能をもたせた構成であり、かつ、単一スイッチ67に開口部36の開口量としての開口面積を増減できる増減用操作スイッチ部として機能をもたせた構成であるから、上記第２、３の実施の形態のシャッタ装置21a，21bの構成等に比べて、操作手段41cのスイッチ数を少なくでき、構成をより一層簡単にできる。
【００８４】
なお、操作手段41cの単一スイッチ67は、例えば、図９に示すように押しボタン式かつロータリー式の構成とすることもできる。図９に示す単一スイッチ67を被閉鎖部22の非全閉状態時（検知手段の非検知状態時）に押圧操作すると、この単一スイッチ67が制御手段30の制御でいわゆる全面スリット状態とするための自己保持型で押しボタン式のワンタッチ操作スイッチ部として機能し、被閉鎖部22の全閉状態時（検知手段の検知状態時）に回動操作すると、この単一スイッチ67が制御手段30の制御で開閉体31の開口部36の開口量としての開口面積を増減させるための非自己保持型でロータリー式の増減用操作スイッチ部として機能する。
【００８５】
次に、本発明の開閉装置の第５の実施の形態の構成を図面を参照して説明する。
【００８６】
図１０において、71は開閉装置としてのブラインド装置で、このブラインド装置71は、外付けブラインド等で、例えば出入口や窓等の開口部である被閉鎖部72を開閉するものである。
【００８７】
ブラインド装置71は、上下方向に長手方向を有する左右一対の細長形状で断面略コ字状の案内手段としてのガイドレール（図示せず）を備えている。各ガイドレールは、下枠或いは床面等の当接部75に立設され、被閉鎖部72の左右両側縁部に配置されている。また、各ガイドレールの上端部側は、左右水平方向に長手方向を有する細長箱状の開閉体収容手段としてのボックス76内に挿入されている。
【００８８】
ボックス76は、壁等の被取付け部74に固着され、下面部に長孔状の挿通口部77がボックス76の長手方向に沿って開口形成されており、各ガイドレールの上端部側が挿通口部77の長手方向の両端部に挿通されてボックス76内に挿入されている。ボックス76の左右両側面部間には、左右水平方向に長手方向を有する細長筒形状の回転体である巻体としての巻取軸78が回転可能に架け渡されており、巻取軸78は単一の駆動手段としての正逆回転可能な駆動モータ79の回転軸79aから図示しない伝動手段を介して駆動力を受けて所定方向に駆動回転する構成となっている。また、駆動モータ79には、ＣＰＵ、メモリ等にて構成された制御手段80が電気的に接続されており、駆動モータ79は制御手段80からの制御信号に応じて制御されるようになっている。
【００８９】
また、ブラインド装置71は、図１０に示すように、被閉鎖部72に沿って移動可能つまり昇降可能な開閉体81を備えており、開閉体81は、巻取軸78に巻取りおよび巻戻し可能に取り付けられている。
【００９０】
開閉体81は、巻取軸78の一の方向である巻戻方向への回転に応じて被閉鎖部72に沿ってこの被閉鎖部72を閉じる閉方向（下方向）Ｃに向って下降する閉動作を行い、かつ、巻取軸78の他の方向である巻取方向への回転に応じて被閉鎖部72に沿ってこの被閉鎖部72を開く開方向（上方向）Ｏに向って上昇する開動作を行う構成とされている。
【００９１】
また、開閉体81は、図１０および図１１に示すように、例えば金属材料等にて左右水平方向に長手方向を有する細長略板形状に形成された複数枚の回動自在の回動スラット82を有し、これら複数枚の回動スラット82は各々が互いに分離しており可撓性を有する複数の紐状の連結体83a，83b、例えばワイヤーやチェーン等にて一体に連結されている。なお、図示しないが、各回動スラット82を複数のリンク部材等で一体に連結した構成でもよい。
【００９２】
各回動スラット82の幅方向の一端部（室内側の端部）が一方の連結体83aに左右方向の支軸85を介して取り付けられ、各回動スラット82は支軸85を中心として開閉体の開閉方向（上下方向）とは交差する方向（開閉体の厚さ方向である前後方向）に回動可能となっている。また、各回動スラット82の幅方向に沿った長孔部86内には、他方の連結体83bのスライド軸87がスライド自在に遊嵌されている。なお、開閉体81の開方向先端側が巻取軸78に取り付けられ、一方、開閉体81の閉方向先端側である自由端部側の下端部に位置する回動スラット82が被閉鎖部72の当接部75に当接する座板として機能する構成となっている。
【００９３】
また一方、開閉体81の移動方向に隣接する各回動スラット82間には左右水平方向に細長い間隙部90が形成され、これら複数の間隙部90にて開口部としての採光部91が構成されている。すなわち、開閉体81にこの開閉体81の移動方向先端側から移動方向基端側の略全体にわたって分散した状態に設けられた開閉自在の複数の間隙部90によって開口部である採光部91が構成されている。
【００９４】
そして、開閉体81の各回動スラット82間の開口部である採光部91の室内側への採光量（開口量）は、開閉体81の開閉動作（昇降動作）に関連して、各回動スラット82の所定の基準面としての水平面Ａに対する角度αに応じて変化する。
【００９５】
開閉体81は、各回動スラット82が水平状態のまま連結体83a，83bとともに下降するが、開閉体81の下端部の回動スラット82が当接部75の段部75aに当接した時点で停止すると、図１４に示すように、回動スラット82が水平状態に保持され、開口部である採光部91の開口量である採光量つまり開口部である採光部91を介して室外側から室内側に有効的に進入する採光量が最大値に設定された状態、すなわち、回動スラット82の角度α＝０°に設定された状態となる（回動スラット全開状態）。
【００９６】
また、図１４に示す状態から開閉体81の連結体83a，83bがさらに下降すると、下端部の回動スラット82と段部75aとが当接しているため、一方の連結体83aが弛みつつ図１１に示されるように各回動スラット82が一斉に支軸85を中心として所定方向（角度αが増大する方向）に回動し、これにより、開閉体81は、図１３に示す回動スラット82の角度α＝略４５°に設定された状態（回動スラット半開状態）を経て、図１２に示す回動スラット82の角度α＝約９０°に設定された状態（回動スラット全閉状態）となる。
【００９７】
なお、図１２に示す角度α＝約９０°に設定された状態では、室内側への光が入らないよう、各回動スラット82が互いに接触して略鉛直状態にあり、開口部である採光部91の開口量である採光量が最小値に設定された状態にある。図１３に示す角度α＝略４５°に設定された状態では、回動スラット82が先端側に向って下方に傾斜した傾斜状態にあり、開口部である採光部91の開口量である採光量が最大値より小さい値となる。回動スラット82の角度αは、０°から約９０°の範囲で設定可能である。
【００９８】
さらに、ブラインド装置71は、図１０に示すように、使用者が手動で操作する操作手段101を備えており、操作手段101は例えば室内側の壁等の取付け部（図示せず）に取り付けられ、制御手段80に電気的に有線接続されている。なお、操作手段101は遠隔操作機能を備えた無線式のリモコン操作装置等の構成とすることもできる。
【００９９】
この操作手段101は、例えば、巻取軸78の巻戻方向への回転により開閉体81を閉方向Ｃに下降移動させるための自己保持型で押しボタン式の閉操作スイッチ102と、巻取軸78の巻取方向への回転により開閉体81を開方向Ｏに上昇移動させるための自己保持型で押しボタン式の開操作スイッチ103と、これら２つの閉操作スイッチ102および開操作スイッチ103の各々のスイッチオン状態を解除するための非自己保持型で押しボタン式の１つの停止スイッチ104とを有している。
【０１００】
自己保持型の閉操作スイッチ102は、押圧操作が行われてスイッチオン状態とされた場合、停止スイッチ104の押圧操作が行われない限りそのスイッチオン状態が保持される。しかし、制御手段80が、例えばロータリーエンコーダやホールIC、カウンタ、タイマ等にて構成された上限や下限等の開閉動作限度検知用の検知部（図示せず）の検知により、例えば、巻取軸78や駆動モータ79の回転軸79a等の回転量や回転数、回転時間等が所定の設定値に達したと判断したときに、駆動モータ79が停止するとともに、閉操作スイッチ102のスイッチオン状態が自動的に解除される。この状態では、被閉鎖部72は開閉体81にて閉じられた状態（被閉鎖部72の全閉状態）にあり、かつ、開閉体81の開口部である採光部91の開口量である採光量が最小値に設定された状態（回動スラット82の角度α＝約９０°）にある（図１２参照）。
【０１０１】
自己保持型の開操作スイッチ103も、閉操作スイッチ102と同様、押圧操作が行われてスイッチオン状態とされた場合、停止スイッチ104の押圧操作が行われない限りそのスイッチオン状態が保持される。しかし、制御手段80が、例えばロータリーエンコーダやホールIC、カウンタ、タイマ等にて構成された上限や下限等の開閉動作限度検知用の検知部の検知により、例えば、巻取軸78や駆動モータ79の回転軸79a等の回転量や回転数、回転時間等が所定の設定値に達したと判断すると、駆動モータ79が停止するとともに、開操作スイッチ103のスイッチオン状態が自動的に解除される。この状態では、被閉鎖部72は開口した開かれた状態（被閉鎖部72の全開状態）にあり、開閉体81は巻取軸78に巻き取られてボックス76内に収容された状態にある。
【０１０２】
なお、停止スイッチ104は、例えば、押圧操作されている間だけ作用する非自己保持型の構成とされている。これら３つの閉操作スイッチ102、開操作スイッチ103および停止スイッチ104にて被閉鎖部開閉用操作部としての被閉鎖部開閉用スイッチ105が構成されている。
【０１０３】
また、操作手段101は、被閉鎖部開閉用スイッチ105とは別に、制御手段80による開閉体81の開閉動作の制御により開閉体81の開口部である採光部91の開口量である採光量を微調節するための専用の調節用操作部であるスラット回動用スイッチとしての調節用操作スイッチ106を有している。
【０１０４】
この専用の調節用操作スイッチ106は、例えば、制御手段80による巻取軸78の巻取方向への回転に基づく開閉体81の開方向Ｏへの開動作により各回動スラット82を一の方向に一斉に回動させて開閉体81の開口部である採光部91の開口量である採光量を増大させるための第１の操作スイッチ部108と、制御手段80による巻取軸78の巻戻方向への回転に基づく開閉体の閉方向Ｃへの閉動作により各回動スラット82を他の方向に一斉に回動させて開閉体81の開口部である採光部91の開口量である採光量を減少させるための第２の操作スイッチ部109とにて構成されている。
【０１０５】
第１の操作スイッチ部108は、例えば押しボタンスイッチ等であり、押圧操作されている間だけ作用する非自己保持型の構成とされ、例えば正面からみて下部に水平の一辺を有し上部に頂角を有する略二等辺三角形状となっている。
【０１０６】
第２の操作スイッチ部109は、第１の操作スイッチ部108の下方近傍位置に配置された例えば押しボタンスイッチ等であり、押圧操作されている間だけ作用する非自己保持型の構成とされ、例えば正面からみて上部に水平の一辺を有し下部に頂角を有する略二等辺三角形状となっている。
【０１０７】
なお、調節用操作スイッチ106の第１の操作スイッチ部108および第２の操作スイッチ部109の各操作に基づく巻取軸78の回転速さは、採光量を微調節できるように、開操作スイッチ103および閉操作スイッチ102の各操作に基づく場合と比べて低速となるように設定されている。
【０１０８】
次に、上記第５の実施の形態のブラインド装置71の動作等を図面を参照して説明する。
【０１０９】
被閉鎖部72の全開状態時に、操作手段101の閉操作スイッチ102を押圧操作すると、制御手段80にて制御されて作動を開始した駆動モータ79からの駆動力に基づいて巻取軸78が巻戻方向に回転し、これにより、開閉体81が被閉鎖部72に沿って閉方向Ｃに下降する。
【０１１０】
そして、制御手段80が上限や下限等の開閉動作限度検知用の検知部（図示せず）の閉動作限度検知により駆動モータ79の回転軸79aの回転量等が所定の設定値に達したと判断した時点で、制御手段80にて制御されて駆動モータ79が停止して巻取軸78の回転が止まり、閉操作スイッチ102のスイッチオン状態が解除される。こうして、図１２に示すように、被閉鎖部72が全閉状態となり、かつ、開閉体81の各回動スラット82が角度α＝約９０°に設定された状態となる（回動スラット全閉状態）。
【０１１１】
この図１２に示す状態時に、使用者が例えば操作手段101の調節用操作スイッチ106の第１の操作スイッチ部108を所定時間だけ押圧操作すると、その押圧操作されている間だけ駆動モータ79から駆動力が出力される。
【０１１２】
そして、この駆動力で巻取軸78が巻取方向に低速で回転し、これにより、図１３に示すように、開閉体81の下端部の回動スラット82が当接部75の段部75aに当接した状態のまま、各回動スラット82が支軸85を中心として回動して、各回動スラット82が角度α＝約４５°に設定された状態（回動スラット半開状態）となる。
【０１１３】
また、被閉鎖部22の全閉状態を保持したまま、より多くの光を室内側に有効に招き入れたい場合には、調節用操作スイッチ106の第１の操作スイッチ部108をさらに所定時間だけ押圧操作することによって、開閉体81の各回動スラット82を角度α＝０°状態とし、図１４に示すいわゆる全面スラット開状態とすることができる。この図１４の示す状態では、被閉鎖部72は開閉体81にて閉じられた状態（被閉鎖部72の全閉状態）にあり、かつ、開閉体81の開口部である採光部91の開口量である採光量が最大値に設定された状態（回動スラット全開状態）にある。
【０１１４】
なお、図１４のいわゆる全面スラット開状態から、回動スラット半開状態にしたい場合には、使用者は操作手段101の調節用操作スイッチ106の第２の操作スイッチ部109を所定時間だけ押圧操作する。また、被閉鎖部72を全開状態に戻す場合には、操作手段101の開操作スイッチ103を押圧操作する。
【０１１５】
このように、上記第５の実施の形態のブラインド装置71によれば、専用の調節用操作スイッチ106の第１の操作スイッチ部108および第２の操作スイッチ部109を適宜押圧操作することによって、制御手段80に基づく開閉体81の開閉動作の制御によりこの開閉体81の開口部である採光部91の開口量である採光量を調節できるので、従来の構成に比べて、採光部91の採光量の調節操作すなわち回動スラット82の角度αの調節操作がわかりやすく、操作性が良好である。
【０１１６】
また、第１の操作スイッチ部108および第２の操作スイッチ部109の各々が操作中のみ働く非自己保持型の構成であるから、自己保持型の構成に比べて、回動スラット82の角度調節を簡単にでき、回動スラット82間の開口部である採光部91の開口量である採光量の調節を容易にできる。
【０１１７】
さらに、開操作スイッチ103および閉操作スイッチ102の各々が自己保持型の構成であるから、非自己保持型の構成に比べて、被閉鎖部72を容易に全開状態、全閉状態にできる。
【０１１８】
次に、本発明の開閉装置の第６の実施の形態について図１５を参照して説明する。
【０１１９】
図１５に示す開閉装置としてのブラインド装置71aは、図１０に示すブラインド装置71とは異なる操作手段101aを備えており、その他の構成部材は図１０に示すブラインド装置71の構成部材と基本的に同一である。
【０１２０】
図１５に示すブラインド装置71aの操作手段101aは、図１０に示すブラインド装置71の操作手段101において、制御手段80による開閉体81の開閉動作の制御により各回動スラット82を一斉に回動させていわゆる全面スラット開状態とするための自己保持型のワンタッチ操作スイッチ部110を付加した構成とされている。
【０１２１】
このワンタッチ操作スイッチ部110は、例えば、第１の操作スイッチ部108と第２の操作スイッチ部109とは別に例えばこれらの間に配置された押しボタンスイッチ等であり、正面からみて左右方向に長手方向を有する長方形状となっている。
【０１２２】
そして、ワンタッチ操作スイッチ部110を押圧操作すると、被閉鎖部72の全開状態、回動スラット全閉状態、回動スラット半開状態等にあったとしても、制御手段80の制御で駆動モータ79が作動して巻取軸78が所定方向に回転し、これにより、被閉鎖部72が開閉体81にて閉じられた状態（被閉鎖部72の全閉状態）となり、かつ、開閉体81の開口部である採光部91の開口量である採光量が最大値に設定された状態（回動スラット全開状態）となる（図１４参照）。
【０１２３】
そして、図１５に示すブラインド装置71aによれば、上記第５の実施の形態のブラインド装置71の作用効果を奏するばかりでなく、ワンタッチ操作で簡単に全面スラット開状態にできる。よって、例えばワンタッチ操作スイッチ部110の押圧操作によって開口部である採光部91の開口量である採光量を一旦最大状態（回動スラット82の角度α＝０°）にしてから、開閉体81の開口部である採光部91の開口量である採光量を調節できるので、回動スラット全閉状態から調節する場合に比べて、開口量である採光量が比較的多い状態への調節操作が容易であり、操作性がきわめて良好である。
【０１２４】
次に、本発明の開閉装置の第７の実施の形態について図１６を参照して説明する。
【０１２５】
図１６に示す開閉装置としてのブラインド装置71bは、図１０に示すブラインド装置71とは異なり、被閉鎖部72が開閉体81にて閉じられていることを検知する検知手段111を備えているとともに、図１０に示すブラインド装置71とは異なる操作手段101bを備えている。その他の構成部材は図１０に示すブラインド装置71の構成部材と基本的に同一である。
【０１２６】
図１６に示すブラインド装置71bの検知手段111は、例えば開閉体81側に設けられた磁石からの磁力に基づいて開閉体81の下端部の回動スラット82が当接部75の段部75aに当接していることを検知するリードスイッチ等にて構成されている。なお、検知手段111は、例えば、巻取軸78や駆動モータ79の回転軸79a等の回転量や回転数、回転時間等に基づいて開閉体81の下端部の回動スラット82が当接部75の段部75aに当接していることを検知するロータリーエンコーダやホールIC、カウンタ、タイマ等にて構成することもでき、また、光電センサやテープスイッチ等でも構成できる。
【０１２７】
また、図１６に示すブラインド装置71bの操作手段101bは、図１０の操作手段101と同様、３つの閉操作スイッチ102、開操作スイッチ103および停止スイッチ104にて構成された被閉鎖部開閉用操作部としての被閉鎖部開閉用スイッチ105を有している。
【０１２８】
また、操作手段101bは、その被閉鎖部開閉用スイッチ105とは別に、制御手段80による開閉体81の開閉動作の制御によりこの開閉体81の開口部である採光部91の開口量である採光量を微調節するための専用の調節用操作部であるスラット回動用スイッチとしての調節用操作スイッチ116を有している。
【０１２９】
この専用の調節用操作スイッチ116は、例えば、正面からみて下部に水平の一辺を有し上部に頂角を有する略二等辺三角形状をなす押しボタン式の操作スイッチ部である一方のスイッチ118と、この一方のスイッチ118の下方近傍位置に配置され例えば正面からみて上部に水平の一辺を有し下部に頂角を有する略二等辺三角形状をなす押しボタン式の操作スイッチ部である他方のスイッチ119とにて構成されている。
【０１３０】
そして、一方のスイッチ118は、検知手段111が非検知状態の場合（被閉鎖部72が半開き或いは全開の場合等）には、制御手段80による開閉体81の開閉動作の制御により各回動スラット82を一斉に回動させていわゆる全面スラット開状態とするための自己保持型で押しボタン式のワンタッチ操作スイッチ部として機能する。また、一方のスイッチ118は、検知手段111が検知状態の場合（被閉鎖部72が全閉状態の場合）には、制御手段80による巻取軸78の巻取方向への回転に基づく開閉体81の開動作により各回動スラット82を一の方向に一斉に回動させて開閉体81の開口部である採光部91の開口量である採光量を増大させるため非自己保持型で押しボタン式の第１の操作スイッチ部として機能する。
【０１３１】
また、他方のスイッチ119は、検知手段111が非検知状態の場合には、一方のスイッチ118と同様、制御手段80による開閉体81の開閉動作の制御により各回動スラット82を一斉に回動させていわゆる全面スラット開状態とするための自己保持型で押しボタン式のワンタッチ操作スイッチ部として機能する。また、他方のスイッチ119は、検知手段111が検知状態の場合には、制御手段80による巻取軸78の巻戻方向への回転に基づく開閉体の閉動作により各回動スラット82を他の方向に一斉に回動させて開閉体81の開口部である採光部91の開口量である採光量を減少させるための非自己保持型で押しボタン式の第２の操作スイッチ部として機能する。
【０１３２】
そして、図１６に示すブラインド装置71bによれば、被閉鎖部72の全閉状態時には、図１０に示すブラインド装置71と同様、専用の調節用操作スイッチ116の一方のスイッチ118および他方のスイッチ119を適宜押圧操作することによって、制御手段80に基づく開閉体81の開閉動作の制御によりこの開閉体81の開口部である採光部91の開口量である採光量を調節できるので、従来の構成に比べて、採光部91の採光量の調節操作すなわち回動スラット82の角度αの調節操作がわかりやすく、操作性が良好である。
【０１３３】
また、検知手段111が検知状態の場合には一方のスイッチ118および他方のスイッチ119の各々が操作中のみ働く非自己保持型の構成であるから、自己保持型の構成に比べて、回動スラット82の角度αの調節操作を簡単にでき、各回動スラット82間の開口部である採光部91の開口量である採光量の調節を容易にできる。
【０１３４】
さらに、開操作スイッチ103および閉操作スイッチ102の各々が自己保持型の構成であるから、非自己保持型の構成に比べて、被閉鎖部72を容易に全開状態、全閉状態にできる。
【０１３５】
また、検知手段111が非検知状態の場合で被閉鎖部72が全閉状態にないときには、一方のスイッチ118や他方のスイッチ119のワンタッチ操作で簡単に全面スラット開状態にでき、開閉体81の開口部である採光部91の開口量である採光量を一旦最大状態にしてから適宜に調節できるので、回動スラット全閉状態から調節する場合に比べて、開口部である採光部91の開口量である採光量が比較的多い状態（開口量が比較的大きい状態）への調節操作が容易であり、操作性がきわめて良好である。
【０１３６】
さらに、調節用操作スイッチ116にワンタッチ操作スイッチ部として機能をもたせた構成であるから、上記第６の実施の形態のブラインド装置71aのように別体のワンタッチ操作スイッチ部110を設けた構成等に比べて、操作手段101bのスイッチ数を少なくでき、構成を簡単にできる。
【０１３７】
次に、本発明の開閉装置の第８の実施の形態について図１７および図１８を参照して説明する。
【０１３８】
図１７に示す開閉装置としてのブラインド装置71cは、図１０に示すブラインド装置71とは異なり、被閉鎖部72が開閉体81にて閉じられていることを検知する検知手段121を備えているとともに、図１０に示すブラインド装置71とは異なる操作手段101cを備えている。その他の構成部材は図１０に示すブラインド装置71の構成部材と基本的に同一である。
【０１３９】
図１７に示すブラインド装置71cの検知手段121は、例えば開閉体81側に設けられた磁石からの磁力に基づいて開閉体81の下端部の回動スラット82が当接部75の段部75aに当接していることを検知するリードスイッチ等にて構成されている。なお、検知手段121は、駆動モータ79の回転軸79aの回転量に基づいて開閉体81の下端部の回動スラット82が当接部75の段部75aに当接していることを検知するロータリーエンコーダ等にて構成することもできる。
【０１４０】
また、図１７に示すブラインド装置71cの操作手段101cは、図１０の操作手段101と同様、３つの閉操作スイッチ102、開操作スイッチ103および停止スイッチ104にて構成された被閉鎖部開閉用操作部としての被閉鎖部開閉用スイッチ105を有している。
【０１４１】
また、操作手段101cは、その被閉鎖部開閉用スイッチ105とは別に、制御手段80による開閉体81の開閉動作の制御によりこの開閉体81の開口部である採光部91の開口量である採光量を微調節するための専用の調節用操作部であるスラット回動用スイッチとしての調節用操作スイッチ126を有している。
【０１４２】
この専用の調節用操作スイッチ126は、例えば、正面からみて左右方向に長手方向を有する長方形状をなす押しボタン式の操作スイッチ部である単一スイッチ127のみにて構成されている。
【０１４３】
そして、１個の単一スイッチ127は、検知手段121が非検知状態の場合（被閉鎖部72が半開き或いは全開の場合等）には、制御手段80による開閉体81の開閉動作の制御により各回動スラット82を一斉に回動させていわゆる全面スラット開状態とするための自己保持型で押しボタン式のワンタッチ操作スイッチ部として機能する。
【０１４４】
また、１個の単一スイッチ127は、検知手段121が検知状態の場合（被閉鎖部72が全閉状態の場合）には、制御手段80による巻取軸78の回転に基づく開閉体81の開閉動作により各回動スラット82を一斉に回動させて開口部である採光部91の開口量である採光量を増減させるための非自己保持型で押しボタン式の増減用操作スイッチ部として機能する。
【０１４５】
単一スイッチ127が増減用操作スイッチ部として機能する場合、単一スイッチ127の押圧操作時には、制御手段80による制御に基づき、巻取軸78が、巻戻方向へ所定量すなわち例えば開口部である採光部91の全面スラット開状態から全閉鎖状態の範囲での所定量だけ低速で回転した後、続いて巻取方向へ同じ所定量すなわち例えば開口部である採光部91の全閉鎖状態から全面スラット開状態の範囲での所定量だけ低速で回転するという一連の動作を繰り返すようになっている。
【０１４６】
すなわち、単一スイッチ127が増減用操作スイッチ部として機能する場合において、単一スイッチ127を押圧し続けると、例えば、図１８の（a）ないし(f)に示すように、回動スラット全開状態（α＝０°）→回動スラット半開状態（α＝約４５°）→回動スラット全閉状態（α＝約９０°）→回動スラット半開状態→回動スラット全開状態という一連の動作が行われる。
【０１４７】
そして、図１７に示すブラインド装置71cによれば、被閉鎖部72の全閉状態時には、図１０に示すブラインド装置71と同様、専用の調節用操作スイッチ116の単一スイッチ127を適宜押圧操作することによって、制御手段80に基づく開閉体81の開閉動作の制御によりこの開閉体81の開口部である採光部91の開口量である採光量を調節できるので、従来の構成に比べて、開口部である採光部91の開口量である採光量の調節操作すなわち回動スラット82の角度αの調節操作がわかりやすく、操作性が良好である。
【０１４８】
また、検知手段111が検知状態の場合には単一スイッチ127が操作中のみ働く非自己保持型の構成であるから、自己保持型の構成に比べて、回動スラット82の角度αの調節操作を簡単にでき、各回動スラット82間の開口部である採光部91の開口量である採光量の調節を容易にできる。
【０１４９】
さらに、開操作スイッチ43および閉操作スイッチ42の各々が自己保持型の構成であるから、非自己保持型の構成に比べて、被閉鎖部72を容易に全開状態、全閉状態にできる。
【０１５０】
また、検知手段111が非検知状態の場合で被閉鎖部72が全閉状態にないときには、単一スイッチ127のワンタッチ操作で簡単に全面スラット開状態にでき、開閉体81の開口部である採光部91の開口量である採光量を一旦最大状態にしてから適宜に調節できるので、回動スラット全閉状態から調節する場合に比べて、開口部である採光部91の開口量である採光量が比較的多い状態（開口量が比較的大きい状態）への調節操作が容易であり、操作性がきわめて良好である。
【０１５１】
さらに、調節用操作スイッチ126の単一スイッチ127にワンタッチ操作スイッチ部として機能をもたせた構成であり、かつ、単一スイッチ127に開口部である採光部91の開口量である採光量を増減できる増減用操作スイッチ部として機能をもたせた構成であるから、上記第６、７の実施の形態のブラインド装置71a，71bの構成等に比べて、操作手段101cのスイッチ数を少なくでき、構成をより一層簡単にできる。なお、操作手段101cの単一スイッチ127は、図９の単一スイッチ67と同様、押しボタン式かつロータリー式の構成とすることもできる。
【０１５２】
なお、上記いずれの実施の形態においても、開閉装置は、複数のスラットを用いたシャッタ装置或いはブラインド装置として説明したが、例えば、図示しないが、複数のパネルを用いたシャッタ装置或いはブラインド装置、引戸等のドア装置、スライディングウォール装置、スクリーン装置、防煙垂れ幕装置、オーニング装置、カーテン装置、ルーバー窓装置、ガラリ装置、雨戸装置等にも適用できる。
【０１５３】
また、上記いずれの実施の形態においても、開閉体31，81は、被閉鎖部に沿って上下方向に移動可能な構成として説明したが、例えば、左右方向に移動可能な構成、床面等に沿って水平方向に移動可能な構成、床面等に対して傾斜した傾斜方向に移動可能な構成、或いは、これらの複合した方向に移動可能な構成でもよい。
【０１５４】
また、上記いずれの実施の形態においても、開閉体31，81は、駆動モータ等の駆動手段からの駆動力で電動下降する構成として説明したが、閉鎖体31，81自体の重力にて自重下降する構成でもよい。
【０１５５】
また、調節用操作スイッチ46，56，66，106，116，126の第１の操作スイッチ部48、第２の操作スイッチ部49等の操作で、例えば開口部36の開口面積、回動スラット82の角度を無段階的に調節可能な構成であると説明したが、例えば、１回の操作で予め設定された量だけ変化するよう、段階的に調節可能な構成としてもよい。
【０１５６】
さらに、ワンタッチ操作スイッチ部50，110のワンタッチ操作で開口部の開口量が最大値に設定された状態（予め設定された状態）であるいわゆる全面スリット状態、いわゆる全面スラット開状態とできる構成として説明したが、例えば、予め設定した状態として、例えばスリット半開口状態、回動スラット半開状態等にワンタッチ操作できるようにしてもよい。
【０１５７】
また、調節用操作スイッチ46，56，66，106，116，126は、非自己保持型の押しボタン式の構成等として説明したが、例えば、自己保持型でもよく、タンブラー式、ロータリー式等、任意のスイッチでよい。
【０１５８】
また、被閉鎖部開閉用操作部45の停止操作スイッチ44，104等は、閉操作スイッチ42，102や開操作スイッチ43，103で停止等の操作機能を代用できれば設けなくてもよい。
【０１５９】
さらに、閉操作スイッチ42，102、開操作スイッチ43，103および停止操作スイッチ44，104等や、調節用操作スイッチ46，56，66，106，116，126等は、タッチパネル式の構成としてもよい。
【０１６０】
また、開閉体31，81の開口部は開口されている構造のもの（実際に孔や空間等が空けられているもの）でもよいが、開口部が網等にて覆われている構造のものや、採光性のみを要求する場合は開口部が透明或いは半透明等のシート等にて覆われている構造のもの等でもよい。このように、開口部とは、厳格な意味での空間である必要はなく、シート等にて覆われているものも含む意味である。
【０１６１】
さらに、閉操作スイッチ42，102、開操作スイッチ43，103および停止操作スイッチ44，104等や、調節用操作スイッチ46，56，66，106，116，126等は、スイッチ自体の構成で「自己保持型」、「非自己保持型」となっているものには限定されず、スイッチ操作等の識別等により制御手段30，80等の例えば制御回路等にて「自己保持型」、「非自己保持型」となるように制御されるものでもよい。すなわち、例えば、自己保持型の押しボタンスイッチには、手を離すと押しボタンスイッチ自体はすぐにもとの状態に復帰するが所定の通電状態が維持されるもの等が含まれる。
【０１６２】
また、自己保持型のスイッチオン状態を解除する手段として、障害物検知装置、負荷感知装置等を用いてもよい。
【０１６３】
さらに、被閉鎖部22，72の全閉状態で上限や下限等の開閉動作限度検知用の検知部および検知手段51，61，111，121の両方が検知状態の場合に、専用の調節用操作部を操作するとこの調節用操作部が自己保持型のワンタッチ操作スイッチ部として機能して開口部の開口量が予め設定された状態、例えば全開スリット状態（開口量最大状態）等となるような構成でもよい。
【０１６４】
【発明の効果】
本発明によれば、専用の調節用操作部を操作することによって、開閉体の開口部の開口量を調節できるので、従来の構成に比べて、開口部の開口量の調節操作がわかりやすく、操作性が良好である。
【図面の簡単な説明】
【図１】  本発明の開閉装置の第１の実施の形態を示す概要図である。
【図２】  同上開閉装置のスリット全閉鎖状態を示す正面図である。
【図３】  同上開閉装置のスリット半開口状態を示す正面図である。
【図４】  同上開閉装置のスリット全開口状態を示す正面図である。
【図５】  本発明の開閉装置の第２の実施の形態を示す概要図である。
【図６】  本発明の開閉装置の第３の実施の形態を示す概要図である。
【図７】  本発明の開閉装置の第４の実施の形態を示す概要図である。
【図８】  同上開閉装置の動作を説明するための動作説明図である。
【図９】  同上開閉装置の操作手段の単一スイッチの他の実施の形態の図である。
【図１０】  本発明の開閉装置の第５の実施の形態を示す概要図である。
【図１１】  同上開閉装置の開閉体を示す側面図である。
【図１２】  同上開閉装置の回動スラット全閉状態を示す側面図である。
【図１３】  同上開閉装置の回動スラット半開状態を示す側面図である。
【図１４】  同上開閉装置の回動スラット全開状態を示す正面図である。
【図１５】  本発明の開閉装置の第６の実施の形態を示す概要図である。
【図１６】  本発明の開閉装置の第７の実施の形態を示す概要図である。
【図１７】  本発明の開閉装置の第８の実施の形態を示す概要図である。
【図１８】  同上開閉装置の動作を説明するための動作説明図である。
【図１９】  従来の開閉装置を示す概要図である。
【図２０】  他の従来の開閉装置を示す概要図である。
【符号の説明】
21，21a，21b，21c，71，71a，71b，71c    開閉装置
22，72    被閉鎖部
25    当接部
28，78 巻体としての巻取軸
29，79 駆動手段としての駆動モータ
31，81    開閉体
36    開口部
41    操作手段
42，102    閉操作スイッチ
43，103    開操作スイッチ
45，105    被閉鎖部開閉用操作部としての被閉鎖部開閉用スイッチ
46，56，66，106，116，126    調節用操作部としての調節用操作スイッチ
48，108    第１の操作スイッチ部
49，109    第２の操作スイッチ部
50，110    ワンタッチ操作スイッチ部
51，61，111，121    検知手段
58，118    一方のスイッチ
59，119    他方のスイッチ
67，127    単一スイッチ
91    開口部としての採光部
【図１】
0004494623.tif 000002
【図２】
0004494623.tif 000003
【図３】
0004494623.tif 000004
【図４】
0004494623.tif 000005
【図５】
0004494623.tif 000006
【図６】
0004494623.tif 000007
【図７】
0004494623.tif 000008
【図８】
0004494623.tif 000009
【図９】
0004494623.tif 000010
【図１０】
0004494623.tif 000011
【図１１】
0004494623.tif 000012
【図１２】
0004494623.tif 000013
【図１３】
0004494623.tif 000014
【図１４】
0004494623.tif 000015
【図１５】
0004494623.tif 000016
【図１６】
0004494623.tif 000017
【図１７】
0004494623.tif 000018
【図１８】
0004494623.tif 000019
【図１９】
0004494623.tif 000020
【図２０】
0004494623.tif 000021